(57)【要約】【課題】本発明は加湿装置に関するもので、吹出口から吹き出す加湿空気を、直接使用者の肌疾患を生じやすい目や頬、顎などのフェイスラインへ効率よく当てることができるものである。【解決手段】そしてこの目的を達成するために本発明は、卓上に設置され、吸込口２と吹出口１を有する本体ケース３と、本体ケース３内で、吸込口２から吹出口１に送風される送風路に送風手段を備え、吸込口２と送風手段との間に加湿手段４を備え、吹出口１に使用者の方向を向き、斜め上方向でかつ使用者の顔面方向の角度が付いた風向板１０を備えて、風向板１０により一方向へ所定の風量で送風する構成としたものである。【選択図】図２
2012032075.tif 000002
【特許請求の範囲】
【請求項１】
卓上に設置され、吸込口と吹出口を有する本体ケースと、前記本体ケース内で、前記吸込口から前記吹出口に送風される送風路に送風手段を備え、前記吸込口と前記送風手段との間に加湿手段を備え、前記吹出口に使用者の方向を向き、斜め上方向でかつ使用者の顔面方向の角度が付いた風向板を備えて、前記風向板により一方向へ所定の風量で送風する構成の小型加湿装置。
【請求項２】
風向板下方の吹出口の端部に前記風向板と略平行の誘導板を設けた構成の請求項１に記載の小型加湿装置。
【請求項３】
風向板と誘導板の風上端部の間隔より風下端部の間隔が狭くなる位置関係の構成の請求項１または２のいずれかに記載の小型加湿装置。
【請求項４】
風向板と誘導板を風下方向へ延長した時の交点が使用者の手前となる位置関係の構成の請求項１〜３のいずれかに記載の小型加湿装置。
【請求項５】
上下角度の設定が自在に行える風向板を備えた構成の請求項１に記載の小型加湿装置。
【発明の詳細な説明】
【技術分野】
【０００１】
本発明は、とくに、使用者の近くに置いて運転するパーソナルユースに適した小型加湿機に関するものである。
【背景技術】
【０００２】
従来、この種の加湿装置は、吹出し口の内側に加湿空気が上方と前方に切り替える事の出来る切り替え手段で、上方への吹出し時は全ての加湿空気を吹出し、前方への吹出し時には前方と上方へ分散して加湿空気を吹出す物が知られている（例えば、特許文献１参照）。
【０００３】
以下、その加湿装置について図４を参照にしながら説明する。
【０００４】
図に示すように本体ケース内に配置される加湿手段（図示せず）と、送風手段１０１によって加湿手段から発生した加湿空気１０２を排気するための吹出口１０３を有し、吹出口１０３の内側に加湿空気１０２が上方１０４と前方１０５に切り替える事の出来る切り替え手段１０６を設け、切り替え手段１０６は上方１０４への吹出し時は全ての加湿空気１０２を吹出すことで加湿空気１０２を人に直接当たらない形態で使用できる。また、前方１０５への吹出し時には前方１０５と上方１０４へ分散して加湿空気１０２を吹出することで、例えば使用者の肌や喉などの湿らせたい任意の部位へ直接加湿空気１０２を吹き付けることや室内中央部等の人の居る場所を急速に加湿することができるものである。
【先行技術文献】
【特許文献】
【０００５】
【特許文献１】特開２００４−３４７２１１号公報
【発明の概要】
【発明が解決しようとする課題】
【０００６】
このような従来の加湿装置では、前方と上方にのみ加湿空気を吹出すため、一般的に皮脂量が少なく乾燥肌などの肌疾患を生じやすい目や頬、顎などのフェイスラインに加湿空気を当てるためには顔面と加湿装置をほぼ並行に配置する必要があり、位置合わせが難しいことより卓上で気楽に使用する事が出来ないという課題がある。また顔面のほぼ正面より加湿空気が当たるため顎の下など死角になる部位が多くて効果的に肌の湿潤が行えないという課題がある。さらに使用者が眼鏡などで顔面を覆っていた場合は眼鏡のガラス面が加湿空気を遮ることになり眼部周囲の肌の湿潤が困難になる課題がある。
【０００７】
本発明は、このような従来の課題を解決するものであり、卓上で容易に使用する事が出来、眼鏡等の使用に関わらず眼部周辺の肌への湿潤が行え、死角なく顔面への湿潤を効果的に行なえる加湿装置を提供することを目的とする。
【課題を解決するための手段】
【０００８】
そして、この目的を達成するために、本発明は、斜め上方向でかつ使用者の顔面方向の角度が付いた風向板を備えて、前記風向板により一方向へ所定の風量で送風する構成としたものであり、これにより所期の目的を達成するものである。
【発明の効果】
【０００９】
本発明によれば、斜め上方向でかつ使用者の顔面方向の角度が付いた風向板を備えて、前記風向板により一方向へ所定の風量で送風する構成にしたことにより、風向板から斜め上方へ加湿手段によって加湿された空気を送風することで、使用者の目や頬と正面からは陰になる顎のフェイスラインを重点的に加湿空気を吹き付けられる。また使用者が眼鏡をかけている場合においても眼鏡のガラス面より下方から吹き付けれるため眼鏡の奥まで加湿空気が送風される事になり、死角がない加湿ができるので、一般的に皮脂量が少なく乾燥肌などの肌疾患を生じやすい目や頬、顎などのフェイスラインを居室の広さや室内湿度、顔面を覆う眼鏡の使用、未使用に関わらず局所的に潤いを与え、肌乾燥にまつわる病気の予防をすることが出来る効果を得ることができる。
【図面の簡単な説明】
【００１０】
【図１】本発明の実施の形態１の小型加湿装置の概略図
【図２】同小型加湿装置の断面を示す図
【図３】同小型加湿装置の実使用時の概略図
【図４】従来の加湿装置の構成断面図
【発明を実施するための形態】
【００１１】
本発明の請求項１記載の小型加湿装置は、卓上に設置され、吸込口と吹出口を有する本体ケースと、前記本体ケース内で、前記吸込口から前記吹出口に送風される送風路に送風手段を備え、前記吸込口と前記送風手段との間に加湿手段を備え、前記吹出口に使用者の方向を向き、斜め上方向でかつ使用者の顔面方向の角度が付いた風向板を備えて、前記風向板により一方向へ所定の風量で送風する構成であり、風向板から斜め上方へ加湿手段によって加湿された空気を送風することで、使用者の目や頬と正面からは陰になる顎のフェイスラインを重点的に加湿空気を吹き付けられる。また使用者が眼鏡をかけている場合においても眼鏡のガラス面より下方から送風されるため眼鏡の奥まで加湿空気が送風される事になり、死角がない加湿ができるので、一般的に皮脂量が少なく乾燥肌などの肌疾患を生じやすい目や頬、顎などのフェイスラインを居室の広さや室内湿度、顔面を覆う眼鏡の使用、未使用に関わらず局所的に潤いを与え、肌乾燥にまつわる病気の予防をすることが出来る。また、小型加湿のため小型加湿装置の加湿能力が高い必要が無く、本体サイズの小型化や低コスト、低消費電力を実現でき、また室内全体加湿に比べて手早く加湿を行うという効果を奏する。
【００１２】
また、請求項２記載の小型加湿装置は、風向板下方の吹出口の端部に前記風向板と略平行の誘導板を設けた構成であり、吹出し口から吹出す加湿空気の一部はコアンダ現象により吹出し口周辺の本体ケースの形状に沿って吹出すため風向板での制御が出来ないが、特にコアンダ現象の影響を受けやすい風向板下部の吹出口の端部に誘導板を配置することで、誘導板に沿って風向板と同方向へ送風する事が出来るため、加湿空気の漏れや拡散を防ぎ、吹出し湿度の向上、ひいては使用者の肌に対する潤いを向上させる事が出来るという効果を奏する。
【００１３】
また、請求項３記載の小型加湿装置は、風向板と誘導板の風上端部の間隔より風下端部の間隔が狭くなる位置関係の構成であり、風向板にガイドされて吹出した加湿空気と誘導板にガイドされて吹出した加湿空気は、吹出し口から離れるにつれて両方の加湿空気の距離が近くなり一体化するため、一般的な高湿空気の湿度減衰に比べて減衰率が低く、比較的高い湿度を維持したまま加湿空気の送風が行え、吹出し後の距離による湿度減衰を抑えるという効果を奏する。
【００１４】
また、請求項４記載の小型加湿装置は、風向板と誘導板を風下方向へ延長した時の交点が使用者の手前となる位置関係の構成であり、使用者の手前、つまり使用者の直前で風向板にガイドされて吹出した加湿空気と誘導板にガイドされて吹出した加湿空気が一体化するため、使用者に対して減衰が最も低い加湿空気の送風を行え、小型加湿装置と使用者の距離に応じた吹出し湿度減衰を最小に抑えるという効果を奏する。
【００１５】
また、請求項５記載の小型加湿装置は、上下角度の設定が自在に行える風向板を備えた構成であり、送風角度を使用者の顔面方向へ調節することで、加湿空気を使用者の顔面へ吹きかけることができ、風向を調節するために本体位置を動かす必要が無く、容易に加湿空気を一般的に皮脂量が少なく乾燥肌などの肌疾患を生じやすい目や頬、顎などのフェイスラインへ吹き付けるという効果を奏する。
【００１６】
以下、本発明の実施の形態について図面を参照しながら説明する。
【００１７】
（実施の形態１）
図１に示すように、本発明の実施の形態１の小型加湿機は、天面に吹出口１を形成し、後部側面の下部に吸込口２を形成した略円筒形状の本体ケース３と、本体ケース３内に配設された加湿手段４および送風手段である送風機５とからなる。
【００１８】
また、本体ケース３内に加湿手段４と送風機５を介して吸込口２と吹出口１とを結ぶ通風路６を形成している。
【００１９】
本体ケース３の吹出口１は、図２に示すように、天面より一段低い位置に形成され、その外周側の天面を、外方へ向かうにしたがい高くなる傾斜面７に形成し、傾斜面７の端辺に連続的に接続される誘導板８を備える。その誘導板８の後部側に風向板１０を設けている。
【００２０】
上記構成の小型加湿機は、事務所等でデスクに向かって座り作業する人（以下、使用者という）に対し、デスク上の使用者の近くに置き、風向板１０の吹出方向を使用者に向く方向に調節して運転される。また、小型加湿機と使用者との距離関係は使用者の前腕手長より短い範囲に配置すると卓上作業時の邪魔になる事より、小型加湿装置は、一般的な使用者の前腕手長である約４１０ｍｍ以上、使用者から離す必要がある。そこで、本実施例では、小型加湿機と使用者との距離関係は、約４１０ｍｍとする。また、風向板１０の支持部９の高さは使用者の顎部より下に位置する寸法であり、図３に示すように一般的な使用者の顎部から卓上までの寸法が約３００ｍｍという事から、本実施例では支持部９の高さを卓上から１５０ｍｍとして説明をおこなう。
【００２１】
上記構成において、斜め上方向でかつ使用者の顔面方向の角度が付いた風向板１０を備えて、風向板１０により一方向へ所定の風量で送風する構成にしたことにより、風向板１０から斜め上方へ加湿手段４によって加湿された空気を送風することで、使用者の目や頬と正面からは陰になる顎のフェイスラインを重点的に加湿空気を吹き付けられる。また使用者が眼鏡をかけている場合においても眼鏡のガラス面より下方から吹き付けれるため眼鏡の奥まで加湿空気が送風される事になり、死角がない加湿ができるので、一般的に皮脂量が少なく乾燥肌などの肌疾患を生じやすい目や頬、顎などのフェイスラインを居室の広さや室内湿度、顔面を覆う眼鏡の使用、未使用に関わらず局所的に潤いを与え、肌乾燥にまつわる病気の予防をすることが出来る効果を得ることができる。
【００２２】
また、風向板１０下方の吹出口１の端部に風向板１０と略平行の誘導板８を設けものである。これにより、送風機５により吸込口２から吸込まれ、加湿手段４により加湿された加湿空気１１は吹出口１から室内へ吹出し、支持部９の近傍を通過する加湿空気１１ａは風向板１０にぶつかる事により風向を変化して送風され、傾斜面７の近傍を通過する加湿空気１１ｂは誘導板８によって風向を変化せず送風される。
【００２３】
図２に示すように、風向板１０の角度を２０°に設定して使用者の斜め下から送風した場合、加湿空気１１ａは風向板１０によって風向を２０°に変化して送風され、また加湿空気１１ｂはコアンダ現象により傾斜面７から誘導板８の面に沿った送風方向へ送風され、誘導板８の端部８ａで連続する面が無くなる事によりコアンダ現象が起こらなくなり誘導板８の延長線方向へ送風される。そのため、加湿空気１１ａと加湿空気１１ｂは使用者の顎近辺である卓上約３００ｍｍへ送風する事になる。
【００２４】
また、誘導板８と風向板１０との間隔は、風上端部の間隔より風下端部の間隔が狭くなっており、その角度は誘導板８と風向板１０を風下方向へ延長した場合に使用者の手前、つまり使用者の直前に位置する小型加湿装置から約４００ｍｍの位置で交わる構成とすべく、仮に吹出口１の開口部の幅を３５ｍｍと想定すると誘導板８は２１°の角度を設けている。
【００２５】
このように、加湿空気１１ａと加湿空気１１ｂは使用者の近傍である小型加湿装置から約４００ｍｍ離れた位置で交差しお互いの高湿度空気が交わる事から加湿空気１１の拡散を抑える事ができ、一般的な距離による高湿度空気の湿度減衰に比べて減衰量の少ない加湿空気１１を使用者へ送風する事ができる。これより、一般的に皮脂量が少なく乾燥肌などの肌疾患を生じやすい目や頬、顎などのフェイスラインへ加湿空気の供給ができ、さらには斜め下方から使用者へ送風する事から、例えば顎の下など正面からの送風時に死角になりやすい部位に対しても洩れなく加湿空気の供給ができる。また、使用者が眼鏡を使用している場合においても眼鏡と顔面の隙間より加湿空気の供給がされる。
【００２６】
これにより、使用者の乾燥しやすいフェイスラインに対して集中的に肌疾患の予防ができる。また、顎の近傍である喉に対しても加湿空気の供給ができるため風邪などの病気に対する予防ができる。また、肌疾患を生じやすいフェイスラインへ局所的に加湿を行うため、小型加湿装置の加湿能力は低い加湿能力でも良く、小型加湿装置の小型化や低コスト、低消費電力が実現でき、また一般的な加湿機のように室内全体への加湿を行った場合に比べて手早く使用者のフェイスラインへの加湿を行う事が出来る。
【００２７】
なお、本実施例では支持部９の高さを卓上から１５０ｍｍ、吹出口１の開口部の幅を３５ｍｍとして風向板１０および誘導板８の角度をそれぞれ２０°、２１°としたが、本発明では使用者の顔面の方向へ向けて斜め上方向に加湿空気１１を送風することを特徴としており、斜め上方へ送風する限りには風向板１０および誘導板８の角度に関わらず同様の効果を有する。
【００２８】
また、風向板１０は、回動支点となる支持部９を備え、前部側を上下方向に回動して開閉および風向調節自在としたを設けている。この風向板１０は角度２０°を基本として上下角度設定を自在に行うことができる。これにより、小型加湿装置と使用者の距離が前腕手長より遠方もしくは近傍に変化した場合に、風向板１０の角度を任意の角度に調節する事で使用者の肌疾患を生じやすいフェイスラインへ向けて加湿空気の送風を行う事ができる。
【産業上の利用可能性】
【００２９】
本発明に係る小型加湿機は、吹出口から吹き出す加湿空気を、直接使用者の肌疾患を生じやすい目や頬、顎などのフェイスラインへ効率よく当てることができるという効果を有し、使用者の近くに置き、卓上で使用する小型の加湿機に有用である。
【符号の説明】
【００３０】
１      吹出口
８      誘導板
８ａ    端部
９      支持部
１０    風向板
１１    加湿空気
１１ａ  加湿空気
１１ｂ  加湿空気
【図１】
2012032075.tif 000003
【図２】
2012032075.tif 000004
【図３】
2012032075.tif 000005
【図４】
2012032075.tif 000006